(57)【特許請求の範囲】
【請求項１】
物品（９）を洗浄するための洗浄容器組立品であって、
第１の上開口（２３）を画成する上部を有すると共に、前記第１の上開口（２３）と空間的に連通している第１の空間（２２）を画成する外容器（２）と；
第２の上開口（４４）を画成する上部を有すると共に、前記外容器（２）に着脱自在に連結され、前記第１の空間（２２）内にあり前記第２の上開口（４４）と空間的に連通し且つ前記物品（９）をその内に受け入れるように構成された第２の空間（４２）を画成する孔あき内容器（４）と；を具えている洗浄容器組立品において、
前記外および内容器（２、４）の前記第１と第２の上開口（２３、４４）に着脱自在に連結される周縁壁（５１）と、
前記周縁壁（５１）から前記第２の空間（４２）に向かって延伸すると共に前記物品（９）を前記第２の空間（４２）に保持するように構成された陥凹壁（５２）と、を含む孔あき皿型蓋体（５）；
を具え、
前記孔あき内容器（４）は、複数の通孔（４１１）が形成されている主要部（４１）を有しており、
前記孔あき内容器（４）の前記上部は、前記主要部（４１）の上端から前記第２の上開口（４４）から離れるように突起し、前記蓋体（５）の前記周縁壁（５１）の下に配置され、且つ、少なくとも１つの第１の取付部材が形成されているフランジ（４３）として構成されており、
前記蓋体（５）の前記周壁（５１）には、前記少なくとも１つの第１の取付部材と着脱自在に嵌合する少なくとも１つの第２の取付部材が形成されていることを特徴とした洗浄容器組立品。
【請求項２】
前記第１と第２の取付部材との一方が突起（４３１）として構成されていると共に、前記第１と第２の取付部材との他の一方が溝（５１１）として構成されていることを特徴とする請求項１に記載の洗浄容器組立品。
【請求項３】
前記孔あき内容器（４）の前記上部は複数の前記第１の取付部材を有しており、前記蓋体（５）の前記周縁壁（５１）は前記第１の取付部材にそれぞれ嵌合する複数の前記第２の取付部材を有していることを特徴とする請求項１に記載の洗浄容器組立品。
【請求項４】
前記第１の取付部材は第１のマグネット部品（４３３）として構成されており、前記第２の取付部材は第２のマグネット部品（５３２）として構成されていることを特徴とする請求項１に記載の洗浄容器組立品。
【請求項５】
前記第２の取付部材は溝（５３３）として構成されており、前記第１の取付部材は前記フランジ（４３）に枢動可能に連結されたフック（４６）として構成されていることを特徴とする請求項１に記載の洗浄容器組立品。
【請求項６】
前記孔あき内容器（４）の前記上部には更に、少なくとも１つの第１の取付部品が形成されており、前記外容器（２）は、前記第１の空間（２２）を画成すると共に前記孔あき内容器（４）の前記主要部（４１）および前記蓋体（５）の前記陥凹壁（５１）をその内に受け入れる主要部（２１）を有しており、前記外容器（２）の前記上部はフランジ（２４）として構成されており、該フランジ（２４）は、前記外容器（２）の前記主要部（２１）の上端から前記第１の上開口（２３）から離れるように突起して、前記孔あき内容器（４）の前記上部および前記蓋体（５）の前記周縁壁（５１）の下に配置され、且つ、前記少なくとも１つの第１の取付部品に着脱自在に嵌合する少なくとも１つの第３の取付部材が形成されていることを特徴とする請求項１に記載の洗浄容器組立品。
【請求項７】
前記第１と第２の取付部材との一方が突起（４３１）として構成されており、前記第１と第２の取付部材との他の一方が溝（５１１）として構成されており、
前記第１の取付部品と前記第３の取付部材との一方が突起（４３２）として構成されており、前記第１の取付部品と前記第３の取付部材との他の一方が溝（２４１）として構成されていることを特徴とする請求項６に記載の洗浄容器組立品。
【請求項８】
前記第１の取付部材と前記第１の取付部品とがそれぞれ第１のマグネット部品（４３３、４３４）として構成されており、前記第２の取付部材が第２のマグネット部品（５３２）として構成されており、前記第３の取付部材が第３のマグネット素子（２４２）として構成されていることを特徴とする請求項６に記載の洗浄容器組立品。
【請求項９】
前記第２と第３の取付部材がそれぞれ溝（５３３、２４３）として構成されており、前記第１の取付部材と前記第１の取付部品とがそれぞれ前記フランジに枢動可能に連結されたフック（４６）として構成されていることを特徴とする請求項６に記載の洗浄容器組立品。
【請求項１０】
前記孔あき内容器（４）の前記フランジ（４３）は、１対の前記第１の取付部材と１対の前記第１の取付部品とがそれぞれ形成されている２対の両端を有しており、前記第１の取付部材の１つは前記孔あき内容器（４）の前記フランジ（４３）から前記蓋体（５）の前記周縁壁（５１）に向かって延伸して第１の嵌合孔（４００）を画成している第１の孔画成壁（４０）として構成されており、前記第１の取付部材の他の１つは前記孔あき内容器（４）の前記フランジ（４３）から前記蓋体（５）の前記周縁壁（５１）に向かって延伸している第１の当接壁（４３５）として構成されており、
前記外容器（２）の前記フランジ（２４）は、１対の前記第３の取付部材が形成されている１対の両端を有しており、前記第３の取付部材の１つは、前記外容器（２）の前記フランジ（２４）から前記蓋体（５）の前記周縁壁（５１）に向かって延伸して第３の嵌合孔（２００）を画成している第３の孔画成壁（２０）として構成されており、前記第３の取付部材の他の１つは前記外容器（２）の前記フランジ（２４）から前記蓋体（５）の前記周縁壁（５１）を越えるように延伸している第３の当接壁（２４４）として構成されており、
前記蓋体（５）の前記周縁壁（５１）は、１対の前記第２の取付部材をそれぞれ有する２対の両端を有しており、前記第２の取付部材の１つは前記第１の嵌合孔（４００）に着脱自在に嵌合し、前記第２の取付部材の他の１つは前記第１の当接壁（４３５）に当接し、且つ前記周縁壁には１対の第２の取付部品が形成されており、前記第２の取付部品の１つは前記第３の嵌合孔（２００）に着脱自在に嵌合し、前記第２の取付部品の他の１つは前記第３の当接壁（２４４）に当接することを特徴とする請求項６に記載の洗浄容器組立品。
【請求項１１】
前記外容器（２）と前記孔あき内容器（４）は円筒形であり、前記蓋体（５）は円形であり、
前記外容器（２）は前記第１の空間を画成し且つ前記蓋体の前記陥凹壁をその内に受け入れる主要部を有しており、前記外容器の前記上部は、前記外容器の前記主要部の上端から前記第１の上開口から離れるように径方向に突起しており、且つ少なくとも１つの第３の取付部材（２４６）が形成されているフランジとして構成されており、
前記蓋体（５）の前記周縁壁（５１）には前記少なくとも１つの第３の取付部材と着脱自在に嵌合する少なくとも１つの第２の取付部品が形成されていることを特徴とする請求項１に記載の洗浄容器組立品。
【請求項１２】
前記蓋体（５）の前記陥凹壁（５２）は、前記蓋体（５）の周方向に沿って延伸しており、且つ、角方向に互いに間隔をおいて相対する第１と第２の端（５２１０、５２１１）とを有する弓形ガイドスロット（５２１）が形成されており、
前記孔あき内容器（４）は、
複数の通孔（４１１）が形成されており且つ前記外容器（２１）の前記主要部（２１）に受け入れられる主要部（４１）と、
前記孔あき内容器（４）の前記主要部（４１）の底部中央に形成されており前記第２の空間（４２）に向かって突き出ているくぼみ（４１２）と、
前記孔あき内容器（４）の前記主要部（４１）から前記ガイドスロット（５２１）を突き抜けるように延伸しており、前記孔あき内容器（４）を回転駆動できるように前記ガイドスロット（５２１）の前記第１と第２の端部（５２１０、５２１１）との間で移動可能になっている操作部（４８）と、を有し、
前記外容器（２）の前記主要部（２１）は、前記孔あき内容器（４）の前記主要部（４１）をその内に受け入れ、且つ、前記孔あき内容器（４）の前記くぼみ（４１１）に向かって延伸し当接する突起（２８）が形成されていると共に前記くぼみの深さよりも長い長さを有する底部を有することを特徴とする請求項１１に記載の洗浄容器組立品。
【請求項１３】
前記蓋体（５）の前記第２の取付部品は、可撓性材料からなっており、フック型の断面を有し且つ前記周縁壁（５１）から前記外容器（２）の前記フランジ（２４）を囲むように延伸するように構成されていることを特徴とする請求項１２に記載の洗浄容器組立品。
【請求項１４】
前記孔あき内容器（４）は、前記外容器（２）の前記主要部（２１）に受け入れられると共に、複数の通孔（４１１）と前記第２の上開口（４４）に近接して配置されており前記蓋体（５）の前記陥凹壁（５２）をその上に支持する複数の支持部材（４７０）とが形成されている主要部（４１）を有しており、前記孔あき内容器（４）の前記上部は前記主要部（４１）の上端から前記第２の上開口（４４）から離れるように突起しているフランジ（４３）として構成されており、
前記外容器（２）は、前記第１の空間（２２）を画成すると共に前記孔あき内容器（４）の前記主要部（４１）を受け入れる主要部（２１）を有し、
前記外容器（２）の前記フランジ（２４）には、それを貫く少なくとも１つのピンホール（２４０）が形成されており、
前記少なくとも１つの第３の取付部材は、
前記ピンホール（２４０）を回転自在に貫通するピボットピン（７１）と
前記孔あき内容器（４）の前記フランジ（４３）と前記外容器（２）の前記フランジ（２４）と前記蓋体（５）の前記周縁壁（５１）との上に配置されており前記ピボットピン（７１）に固定されており前記蓋体（５）の前記周縁壁（５１）と前記孔あき内容器（４）の前記フランジ（４３）とを前記外容器（２）に係止するように回転することができる延伸ブロック（７２）と、を含んでいることを特徴とする請求項１１に記載の洗浄容器組立品。
【請求項１５】
前記外容器（２）の前記フランジ（２４）は、前記蓋体（５）の前記周縁壁（５１）の下に配置され、且つ、前記外容器（２）の前記フランジ（２４）と共に嵌合溝（２９０）を画成するように前記外容器（２）の前記フランジ（２４）から延伸している逆Ｌ字型の溝画成壁（２９）をそれぞれ含む複数の前記第３の取付部材が形成されており、
前記蓋体（５）の前記周縁壁（５１）には、それぞれ前記蓋体（５）の前記周縁壁（５１）から径方向外側に延伸しており対応する１つの前記第３の取付部材の前記嵌合溝（２９０）と着脱自在に嵌合するフィン（５６）として構成されている複数の前記第２の取付部品が形成されており、
前記蓋体（５）の前記陥凹壁（５２）は、前記第２の空間（４２）から離れるように延伸しており且つ前記蓋体（５）を前記外容器（２）に対して回転させるために使用者が利用可能である持ち手部（５７）が形成されている中央部を有していることを特徴とする請求項１１に記載の洗浄容器組立品。
【請求項１６】
前記蓋体（５）には、前記陥凹壁（５２）から前記第２の空間（４２）に向かって延伸している第２の突起（５３５）として構成された複数の第２の取付部材が形成されており、
前記孔あき内容器（４）は、前記前記外容器（２）の前記主要部（２１）に受け入れられると共に前記第２の突起（５３５）と着脱自在に嵌合する複数の通孔（４１１）が形成されている主要部（４１）を有しており、
前記孔あき内容器（５）の前記上部は、フランジ（４３）として構成されており、該フランジは、前記主要部（４１）の上端から前記第２の上開口（４４）から離れるように突起すると共に、前記蓋体（５）の前記周縁壁（５１）の下に配置され、且つ、それぞれがフィン（４９）として構成されている複数の第１の取付部品が形成されており、前記フィンは、前記孔あき内容器（４）の前記フランジ（４３）から径方向外側に延伸すると共に前記孔あき内容器（４）の前記通孔（４１１）と前記第２の突起（５３５）との嵌合により前記外容器（２）に対して前記蓋体（５）と共に回転可能であり、対応する１つの前記第３の取付部材の前記嵌合溝（２９０）と着脱自在に嵌合することを特徴とする請求項１５に記載の洗浄容器組立品。
【請求項１７】
バルブ（３）は、前記外容器（２）の前記主要部（２１）の底部に形成されており、
前記外容器（２）は、前記主要部（２１）と前記洗浄容器組立品が設置される支持面との間に間隔ができるように前記主要部（２１）の底端に繋がっていると共に、前記バルブ（３）が開かれた際に前記バルブ（３）と流体的に連通する排水孔（２５１）が形成されている立壁部（２５）を更に有していることを特徴とする請求項１１に記載の洗浄容器組立品。
【請求項１８】
前記外容器（２）と前記孔あき内容器（４）とは円筒形であり、前記蓋体（５）は円形であり、
前記孔あき内容器（４）は、複数の通孔（４１１）が形成されている主要部（４１）と、前記蓋体（５）の前記陥凹壁（５２）をその上に支持するように前記第２の上開口（４４）に近接して配置されている複数の支持部材（４７０）とを有し、前記孔あき内容器（４）の前記上部はフランジ（４３）として構成されており、該フランジは、前記主要部（４１）の上端から前記第２の上開口（４４）から離れるように突出しており、且つ、それを貫く少なくとも１つのピンホール（４３０）と少なくとも１つの第１の取付部材とが形成されており、
前記第１の取付部材は、
前記ピンホール（４３０）を回転自在に貫通しているピボットピン（７１）と、
前記孔あき内容器（４）の前記フランジ（４３）と前記蓋体（５）の前記周縁壁（５１）との上に配置されており前記ピボットピン（７１）に固定されており前記蓋体（５）の前記周縁壁（５１）と前記孔あき内容器（４）の前記フランジ（４３）とを係止するように回転することができる延伸ブロック（７２）と、を含んでおり、
前記外容器（２）は、前記第１の空間（２２）を画成し前記孔あき内容器（４）の前記主要部（４１）と前記蓋体（５）をその内に受け入れる主要部（２１）を有しており、前記外容器（２）の前記上部は、前記外容器（２）の前記主要部（２１）の上端から前記第１の上開口（２３）から離れるように径方向に突出していると共に前記孔あき内容器（４）の前記フランジ（４３）の下に配置され且つ少なくとも１つの第３の取付部材が形成されているフランジ（２４）として構成されており、前記少なくとも１つの第３の取付部材は、前記外容器（２）の前記フランジ（２４）から前記延伸ブロック（７２）を超えるように延伸していると共に前記外容器（２）の前記フランジ（２４）と共に着脱自在に前記延伸ブロック（７２）に係止される嵌合溝（２４６０）を画成する逆Ｌ字型の溝画成壁（２４６）を含むことを特徴とする請求項１に記載の洗浄容器組立品。
【請求項１９】
前記孔あき内容器（４）は複数の通孔（４１１）が形成されている主要部（４１）を有し、前記孔あき内容器（４）の前記上部は、前記主要部（４１）の上端から前記第２の上開口（４４）から離れるように突起すると共に前記蓋体（５）の前記周縁壁（５１）の下に配置されるフランジ（４３）として構成されており、
前記洗浄容器組立品は、前記外容器（２）と前記孔あき内容器（４）と前記蓋体（５）とを共に固定するためのパッチン錠（２７）を更に具えていることを特徴とする請求項１に記載の洗浄容器組立品。
【発明の詳細な説明】
【技術分野】
【０００１】
本願は、２０１２年６月１日に出願された台湾特許出願番号第１０１２１０６２０号の優先権を主張する。
【０００２】
本発明は、洗浄容器組立品に関し、より詳細には、物品が洗浄される際に該物品をその内に保持することができる洗浄容器組立品に関する。
【背景技術】
【０００３】
図１を参照するに、台湾登録実用新案第Ｍ４１７８９３号は、従来の洗浄容器組立品を開示しており、該洗浄容器組立品は、外容器１１と、孔あき内容器１２とを具えている。前記外容器１１は、第１の上開口１１２を画成している上部１１０と、前記第１の上開口１１２と空間的に連通する第１の空間１１３を画成している主要部１１１とを有している。前記主要部１１１には、前記上部１１０に近接している複数の通孔１１４が角方向に互いに間隔をおいて形成されている。
【０００４】
前記孔あき内容器１２は、前記第１の空間１１３内に位置する第２の空間１２２を画成している主要部１２１と、第２の上開口１２３を画成しているフランジ１２４とを有している。前記孔あき内容器１２の前記主要部１２１には、複数の通孔１２５が形成されている。前記第２の空間１２２は、前記第２の上開口１２３と空間的に連通しており、物品をその中に受けるためのものである。
【０００５】
上記により、物品に付いた汚れは前記第１と第２の空間１１３、１２２に水が満たされると洗い流されることができ、更には前記第２の空間１２２へ水を注入することで、各前記通孔１２５、１１４を通る水の流れと共に外容器１１の外に排出することができる。
【０００６】
しかしながら、洗浄される物品は水に浮き得る（つまり、該物品の一部しか水没しない）ので、これが洗浄効果の低下に繋がる。また、前記第２の空間１２２における水位が高いと、物品は洗浄が完了する前に第２の空間１２２の外に流れ出てしまいかねない。
【発明の概要】
【発明が解決しようとする課題】
【０００７】
そこで、本発明の目的は、上述した従来技術に関連する欠点を解消し得る洗浄容器組立品を提供することにある。
【課題を解決するための手段】
【０００８】
本発明によれば、前記洗浄容器組立品は、物品を洗浄するためのものであって、外容器と、孔あき内容器と、孔あき皿型蓋体を具えている。前記外容器は上部を有しており、該上部は第１の上開口を画成すると共に前記第１の上開口と空間的に連通する第１の空間を画成する。前記孔あき内容器は第２の上開口を画成する上部を有しており、前記外容器と着脱自在に連結され、且つ、前記第１の空間内に位置すると共に前記第２の上開口と空間的に連通し前記物品をその内に受け入れられるようになっている第２の空間を画成する。前記孔あき皿型蓋体は、前記外および内容器の前記第１と第２の上部に着脱自在に連結される周縁壁と、前記周縁壁から前記第２の空間に向かって延伸し前記物品を前記第２の空間に保持するようになっている陥凹壁とを含む。
【０００９】
本考案のその他の特徴や効果は、添付の図面に基づいた以下の一実施形態の詳細な説明で明らかになるであろう。
【図面の簡単な説明】
【００１０】
【図１】図1は、台湾登録実用新案第４１７８９３号に開示されている従来の洗浄容器組立品を示している。
【図２】図２は、本発明の洗浄容器組立品に係る第１の好ましい実施形態を示す分解斜視図である。
【図３】図３は、前記第１の好ましい実施形態の概略断面図であり、複数の取付部材により組み合うように固定された洗浄容器組立品の外容器と、孔あき内容器と、孔あき皿型蓋体とを示している。
【図４】図４は、前記第１の好ましい実施形態の他の概略断面図であり、外容器から離された孔あき内容器と蓋体とを示している。
【図５】図５は、前記第１の好ましい実施形態の概略断面図であり、外容器の上に逆さまに配置された蓋体と孔あき内容器とを示している。
【図６】図６は、前記第１の好ましい実施形態の分解概略断面図であり、蓋体と孔あき内容器と外容器とを連結する取付部材と取付部品とがマグネット部品として構成されている。
【図７Ａ】図７Ａは、前記第１の好ましい実施形態の斜視図であり、蓋体と外容器とに形成された取付部材が溝として構成されており、孔あき内容器に設けられた取付部材がフックとして構成されている。
【図７Ｂ】図７Ｂは、図７ＡにおけるＶＩＩＢ‐ＶＩＩＢ線に沿った断面図である。
【図８】図８は、前記第１の好ましい実施形態の断面図であり、蓋体の一端が引き上げられている。
【図９Ａ】図９Ａは、前記第１の好ましい実施形態のほかの斜視図であり、蓋体に形成された取付部材が溝として構成されており、孔あき内容器と外容器に設けられた取り付け部材がフックとして構成されている。
【図９Ｂ】図９Ｂは、図９ＡにおけるＩＸＢ‐ＩＸＢ線に沿った断面図である。
【図１０】図１０は、前記第１の好ましい実施形態の他の分解斜視図であり、孔あき内容器と蓋体とが楕円形の通孔を有していることを示している。
【図１１】図１１は、本発明の洗浄容器組立品に係る第２の好ましい実施形態を示す分解斜視図であり、該洗浄容器組立品に外容器と孔あき内容器と蓋体を固定するためのパッチン錠が具わっている。
【図１２】図１２は、本発明の洗浄容器組立品に係る第３の好ましい実施形態を示す分解斜視図である。
【図１３】図１３は、前記第３の好ましい実施形態の断面図であり、蓋体と孔あき内容器とが外容器内に固定されていることを示している。
【図１４】図１４は、前記第３の好ましい実施形態の他の断面図である。
【図１５】図１５は、前記第３の好ましい実施形態の部分斜視図である。
【図１６】図１６は、本発明の洗浄容器組立品に係る第４の好ましい実施形態を示す分解斜視図である。
【図１７】図１７は、前記第４の好ましい実施形態の平面図であり、外容器に形成された取付部材と互い違いになるように取付部品が蓋体に形成されていることを示している。
【図１８】図１８は、前記第４の好ましい実施形態の他の平面図であり、蓋体と外容器とが、蓋体に形成された取付部品と外容器に形成された取付部材とにより固定されていることを示している。
【図１９】図１９は、図１８におけるＸＩＸ‐ＸＩＸ線に沿った断面図である。
【図２０】図２０は、前記第４の好ましい実施形態の変化例である。
【図２１】図２１は、前記第４の好ましい実施形態の前記変化例であり、孔あき内容器に複数の取付部材が、外容器に形成されている取付部材と連結されるために形成されていることを示している。
【図２２】図２２は、図２０におけるＸＸＩＩ‐ＸＸＩＩ線に沿った断面図である。
【図２３】図２３は、前記第４の好ましい実施形態の他の変化例であり、蓋体に形成されている取付部品と外容器に形成されている取付部材の数量がそれぞれ２つであることを示している。
【図２４】図２４は、本発明の洗浄容器組立品に係る第５の好ましい実施形態を示す平面図である。
【図２５】図２５は、図２４におけるＸＸＶ‐ＸＸＶ線に沿った断面図であり、外容器に形成されている各取付部材が、外容器に対して枢動可能なピボットピンと延伸ブロックとして構成されていることを示している。
【図２６】図２６は、一つの取付部材の延伸ブロックとピボットピンを示す部分拡大断面図である。
【図２７】図２７は、前記第５の好ましい実施形態の他の平面図であり、延伸ブロックが蓋体と孔あき内容器と外容器とを固定していることを示している。
【図２８】図２８は、図２７におけるＸＸＶＩＩ‐ＸＸＶＩＩ線に沿った断面図である。
【図２９】図２９は、前記第５の好ましい実施形態の変化例である。
【図３０】図３０は、図２９におけるＸＸＸ‐ＸＸＸ線に沿った断面図であり、孔あき内容器のフランジに形成されている各取付部材が、孔あき内容器に対して枢動可能なピボットピンと延伸ブロックとして構成されていることを示している。
【図３１】図３１は、前記第５の好ましい実施形態の前記変化例の他の平面図であり、延伸ブロックが孔あき内容器側に枢動されたことを示している。
【図３２】図３２は、図３１におけるＸＸＸＩＩ‐ＸＸＸＩＩ線に沿った断面図であり、延伸ブロックが蓋体と孔あき内容器とを固定していることを示している。
【図３３】図３３は、前記第５の好ましい実施形態の前記変化例の他の平面図であり、蓋体と孔あき内容器が外容器に対して回転されたことを示している。
【図３４】図３４は、図３３におけるＸＸＸＩＶ‐ＸＸＸＩＶ線に沿った断面図であり、外容器に形成されている取付部材が外容器と孔あき内容器と蓋体とを固定していることを示している。
【図３５】図３５は、本発明の洗浄容器組立品に係る第６の好ましい実施形態を示しており、外容器に形成されている取付部材が可撓性材料からなっている。
【図３６】図３６は、図３５におけるＸＸＸＶＩ‐ＸＸＸＶＩ線に沿った断面図であり、蓋体と外容器とが取付部材により固定されていることを示している。
【図３７】図３７は、前記第６の好ましい実施形態の変化例であり、取付部材が、外容器から分離されている可撓性輪状体として構成されていることを示している。
【図３８】図３８は、前記第６の好ましい実施形態の前記変化例の断面図であり、取付部材が蓋体を外容器に連結していることを示している。
【発明を実施するための形態】
【００１１】
図２を参照するに、本発明の洗浄容器組立品に係る第１の好ましい実施形態は、物品９（図３参照）を洗浄するためのものであり、外容器２と、孔あき内容器４と、孔あき皿型蓋体５を具えている。
【００１２】
外容器２は、第１の空間２２を画成する主要部２１と、フランジ２４として構成されており第１の空間２２と空間的に連通している第１の上開口２３を画成している上部とを有している。主要部２１は、その底部にバルブ３が形成されており、これにより主要部２１は第１の空間２２が外気と流体的に連通することができる。フランジ２４は、主要部２１の上端から第１の上開口２３から離れるように突起している。
【００１３】
孔あき内容器４は、着脱自在に外容器２と連結されるものであり、第１の空間２２内に位置する第２の空間４２を画成している主要部４１と、フランジ４３として構成されており第２の上開口４４を画成している上部を有している。主要部４１は、複数の矩形通孔４１１が形成されている。第２の空間４２は、第２の上開口４４と空間的に連通しており、物品９をその内に受け入れるためのものである。孔あき内容器４のフランジ４３は、外容器２のフランジ２４に着脱自在に載置され、主要部４１の上端から第２の上開口４４から離れるように突起している。
【００１４】
孔あき皿型蓋体５は、孔あき内容器４に着脱自在に連結されるものであり、周縁壁５１と陥没壁５２とを有している。周縁壁５１はフランジ４３、２４に着脱自在に載置される。陥凹壁５２は、複数の通孔５２１が形成されており、周辺壁５１から第２の空間４２に向かって延伸しており（つまり、孔あき内容器４の主要部４１と蓋体５の陥凹壁５２とは外容器２の主要部２１内に収まっている）、物品９を第２の空間４２に保持するためのものである。
【００１５】
孔あき内容器４のフランジ４３は、複数の第１の取付部材および複数の第１の取付部品が形成されている。蓋体５の周縁壁５１は、それぞれ着脱自在に孔あき内容器４のフランジ４３の第１の取付部材と係合する複数の第２の取付部材が形成されている。外容器２のフランジ２４は、それぞれ着脱自在に孔あき内容器４のフランジ４３の第１の取付部品と係合する複数の第３の取付部材が形成されている。
【００１６】
更に、図３を参照するに、本実施形態において、各第１の取付部材は、孔あき内容器４のフランジ４３から蓋体５の周縁壁５１に向かって突起する突起４３１として構成されており、各第１の取付部品は、フランジ４３から外容器２のフランジ２４に向かって突起する突起４３２として構成されており、また、第２と第３の取付部材はそれぞれ溝５１１、溝２４１として構成されている。本実施形態において、蓋体５の陥凹壁５２と、孔あき内容器４の主要部４１と、外容器２の主要部２１とは実質的に矩形に構成されている。
【００１７】
本実施形態において、バルブ３は、外容器２の主要部２１の底部に形成されているバルブ孔３１と、バルブ孔３１に嵌合する排水栓３２とを有している。また、外容器２は更に、主要部２１と、当該洗浄容器組立品が設置される支持面との間に間隔ができるように主要部２１の底端に繋がっている立壁部２５を有しており、立壁部２５には、排水栓３２が抜かれた際に通孔３２と流体的に連通する複数の排水孔２５１が形成されている。
【００１８】
物品９を洗浄するに当たっては、バルブ孔３１は排水栓３２に閉じられており、蓋体５は孔あき内容器４および外容器２から外されている。物品９が第２の空間４２に置かれた後に、蓋体５が孔あき内容器４に置かれると共に溝５１１が突起４３１にそれぞれ嵌合する。その後、例えば水などの洗浄液が第１と第２の空間２２、４２に満たされてから、物品９が洗浄されるように洗浄容器組立品が前後に振り動かされる。物品９の洗浄を促すために、上記洗浄過程においては、蓋体５を一時的に外して手作業により物品９の特定の部分を洗浄してもよい。
【００１９】
洗浄容器組立品を振り動かした後に、孔あき内容器４と蓋体５とを暫く外容器２に静置させてもよく、これにより物品９から洗い流された比重の大きい汚れが孔あき内容器４の通孔４１１を通って流れ出て外容器２の主要部２１の底部に沈殿すると共に、比重の小さい汚れが通孔５２１を通って陥凹壁５２が画成する空間に流れ出ることで洗浄容器組立品から除去されることができる。続いて排水栓３２を外せば、沈殿した汚れが少量の水と共に第１の空間２２からバルブ孔３１および排水孔２５１を経て外部に排出されることができる。洗浄された物品９が取り除かれた後に、外容器２内に残った水は、他の物品を洗うために再び利用することができる。
【００２０】
図５に示されているように、物品９を洗浄した後に、孔あき内容器４と蓋体５は持ち上げられ外容器２のフランジ２４に上下逆さに引っくり返されることもでき、これにより第２の空間４２内の水が蓋体５の通孔５２１および孔あき内容器４の通孔４１１を経て第２の空間４２外に流れ出て、第２の空間４２内の物品９は水切りされることができる。あるいは、図４を参照するに、孔あき内容器４と蓋体５とは、外容器２より外されてから、第２の空間４２内の水が孔あき内容器４の通孔４１１を通してより速やかに排出されるように前後に振り動かされてもよい。
【００２１】
特筆するに、上記第１と第２と第３の取付部材および第１の取付部品の各構成は、上述した態様に限らない。例えば、図６を参照するに、各第１の取付部材と第１の取付部品は、第１のマグネット部品４３３、４３４として構成されてもよく、各第２の取付部材は、対応する１つの第１のマグネット部品４３３に着脱自在に連結された第２のマグネット部品５３２として構成されてもよく、また、各第３の取付部材は、対応する１つの第１のマグネット部品４３４と着脱自在に連結された第３のマグネット部品２４２として構成されてもよい。
【００２２】
あるいは、図７Ａ、図７Ｂおよび図８に示されているように、第２と第３の取付部材は、溝５３３、２４３として構成されてもよく、第１の取付部材と第１の取付部品とは、孔あき内容器４のフランジ４３に枢動可能に連結された第１の端部４６１と、対応する１つの溝５３３、２４３に嵌合する第２の端部４６２とをそれぞれ有するフック４６として構成されてもよい。
【００２３】
外容器２と孔あき内容器４と蓋体５とを連結する手段の他の変化例が図９Ａおよび図９Ｂに示されている。この態様においては、蓋体５の周縁壁５１が溝５３４として構成されている。孔あき内容器４のフランジ４３は、フランジ４３に枢動可能に連結された第１の端部４７１と、対応する１つの溝５３４に着脱可能に嵌合する第２の端部４７２とをそれぞれ有するフック４７が設けられている。外容器２のフランジ２４は、外容器２のフランジ２４に枢動可能に連結された第１の端部２６１と、対応する１つの溝５３４に着脱可能に嵌合する第２の端部２６２とをそれぞれ有するフック２６が設けられている。
【００２４】
加えて、図１０に示されているように、本発明に係る他の実施形態として、孔あき内容器４の通孔４１１および蓋体５の通孔５２１は楕円形であってもよい。
【００２５】
図１１には、本発明の洗浄容器組立品に係る第２の好ましい実施形態が示されている。本実施形態においては、外容器２と、孔あき内容器４と、蓋体５とが複数のパッチン錠２７により連結されている。
【００２６】
図１２〜図１５には、本発明の洗浄容器組立品に係る第３の好ましい実施形態が示されている。本実施形態においては、孔あき内容器４のフランジ４３は、１対の第１の取付部材と１対の第１の取付部品とがそれぞれ形成されている２対の両端を有している。第１の取付部材の内の１つはフランジ４３から蓋体５の周縁壁５１に向かって延伸して第１の嵌合孔４００を画成している第１の孔画成壁４０として構成されており、第１の取付部材の内の他の１つはフランジ４３から周縁壁５１に向かって延伸している第１の当接壁４３５として構成されている。
【００２７】
外容器２のフランジ２４は、１対の第３の取付部材が形成されている１対の両端を有している。第３の取付部材の内の１つはフランジ２４から蓋体５の周縁壁５１に向かって延伸して第３の嵌合孔２００を画成している第３の孔画成壁２０として構成されており、第３の取付部材の内の他の１つはフランジ２４から周縁壁５１を越えるように延伸している第３の当接壁２４４として構成されている。
【００２８】
蓋体５の周縁壁５１は、１対の第２の取付部材と１対の第２の取付部品とをそれぞれ有する２対の両端を有している。第２の取付部材は着脱自在にそれぞれ第１の嵌合孔４００および第１の当接壁４３５に嵌合する。第２の取付部品の内の１つは第３の嵌合孔２００に着脱自在に嵌合し、第２の取付部品の内の他の１つは第３の当接壁２４４に当接する。
【００２９】
なお、複数の第１の突起４３９と複数の第３の突起２４７とが、第１の当接壁４３５と第３の当接壁２４４に、それぞれ蓋体５と孔あき内容器４とが外容器２から脱落するのを防ぐために形成されてもよい。
【００３０】
更に、蓋体５の周縁壁５１には、第１の嵌合孔４００と第３の嵌合孔２００にそれぞれ対応する各位置に２つの摩擦部５３８１、５３８２が形成されている。孔あき内容器４から蓋体５を取り外すに当たっては、まず摩擦部５３８１を用いて蓋体５が第１の当接壁４３５に向かって押されることにより、蓋体５が曲がり第２の取付部材の内の１つが第１の嵌合孔４００より外れ、第２の取付部材の内の他の１つが第１の当接壁４１１および第１の突起４３９から外れる。同様に、蓋体５も、第３の嵌合孔２００と第３の当接壁２４４と第３の突起２４７とから第２の取付部品を脱落させることができる摩擦部５３８２によって外容器２から外される。
【００３１】
図１６〜１９には、本発明の洗浄容器組立品に係る第４の好ましい実施形態が示されている。本実施形態においては、外容器２および孔あき内容器４は円筒形であり、蓋体５は円形であり、また、孔あき内容器４のフランジ４３が省かれている。  
【００３２】
外容器２のフランジ２４に形成されている複数の第３の取付部材は、角方向に互いに間隔を有しており、それぞれがフランジ２４と共に嵌合溝２９０を画成するように外容器２のフランジ２４から延伸している逆Ｌ字型の溝画成壁２９を有している。
【００３３】
蓋体５の複数の第２の取付部品は、角方向に互いに間隔を有しており、それぞれが蓋体５の周縁壁５１から径方向外側に延伸して且つ対応する１つの第３の取付部材の嵌合溝２９０と着脱自在に嵌合するフィン５６を有している。蓋体５の陥凹壁５２は中央部を有しており、該中央部には第２の空間４２から離れるように延伸しており且つ蓋体５を外容器２に対して回転させる際に使用者が利用可能である持ち手部５７が形成されている。
【００３４】
図１７に示されているように、蓋体５は、フィン５６が溝画成壁２９と互い違いになるように外容器２のフランジ２４に置かれる。更に図１８を参照するに、蓋体５を外容器２に固定するに当たっては、持ち手部５７を用いて蓋体５を外容器２に対して回転させ、フィン５６をそれぞれ嵌合溝２９０と嵌合するように移動させる。
【００３５】
加えて、複数の突起５６１がそれぞれのフィン５６に形成されてもよい。フィン５６がそれぞれ嵌合溝２９０に嵌合すると、蓋体５と外容器２との嵌合強度を増すように突起５６１もまたそれぞれ溝画成壁２９に嵌合する。
【００３６】
図２０〜図２２には、前記第４の好ましい実施形態の変化例が示されている。蓋体５に形成されている第２の取付部材は、角方向に互いに間隔を有しており、それぞれが陥凹壁５２から第２の空間４２に向かって延伸しており且つ孔あき内容器４の通孔４１１の内の１つと着脱自在に嵌合する第２の突起５３５として構成されている。本態様における孔あき内容器４には、周縁壁５１とフランジ２４との間に位置するフランジ４３が形成されている。フランジ２４に形成されている複数の第１の取付部品は、角方向に互いに間隔を有している。各第１の取付部品は、フィン４９として構成されており、フィン４９は、フランジ４３から径方向外側に向かって延伸しており、第２の突起５３５と孔あき内容器４の通孔４１１との嵌合により蓋体５と共に外容器に対して回転でき、且つ、それぞれ１つの第３の取付部材の嵌合溝２９０に着脱自在に嵌合する。なお、図２３に示されているように、フィン４９、フィン５６、溝画成壁２９並びに嵌合溝２９０の数量は、それぞれ２つでよい。
【００３７】
図２４〜図２８には、本発明の洗浄容器組立品に係る第５の好ましい実施形態が示されており、第５の実施形態は上記第４の実施形態に類似する。本実施形態においては、孔あき内容器４の主要部４１には、蓋体５の陥凹壁５２をその上に支持するように第２の上開口４４付近に設置された複数の支持部材４７０が形成されている。外容器２のフランジ２４には、複数のピンホール２４０がそれを貫くように形成されている。外容器２のフランジ２４４に形成されている各第３の取付部材は、１つのピンホール２４０を貫通しているピボットピン７１と、孔あき内容器４のフランジ４３と外容器２のフランジ２４と蓋体５の周縁壁５１との上に位置するようにピボットピン７１に固定されている延伸ブロック７２とを含んでおり、延伸ブロック７２は、蓋体５の周縁壁５１と孔あき内容器４のフランジ４３とを外容器２のフランジ２４に係止するように回転することができる。図２７および図２８に示されているように、蓋体５と孔あき内容器４とを外容器２に固定するために、延伸ブロック７２は周縁壁５１とフランジ４３を係止するようフランジ４３側に枢動される。
【００３８】
図２８〜図３４には、前記第５の好ましい実施形態の変化例が示されている。本態様においては、孔あき内容器４のフランジ４３には、複数の通孔４３０がそれを貫くように形成されている。孔あき内容器４のフランジ４３に形成されている各第１の取付部材は、１つのピンホール２４０を貫通しているピボットピン７１と、孔あき内容器４のフランジ４３と蓋体５の周縁壁５１との上に位置するようにピボットピン７１に固定されている延伸ブロック７２とを含んでおり、延伸ブロック７２は、枢動された際に蓋体５の周縁壁５１を孔あき内容器４のフランジ４３に係止するように回転することができる。
【００３９】
外容器２のフランジ２４に形成されている第３の取付部材は、それぞれ１つの延伸ブロック７２に着脱自在に係止される嵌合溝２４６０をフランジ２４と共に画成するように外容器２のフランジ２４から延伸している逆Ｌ字型の溝画成壁２４６を有している。
【００４０】
図２８〜図３０に示されているように、延伸ブロック７２は、周縁壁５１と嵌合溝２４６０とを係止しない。図３１および図３２を参照するに、延伸ブロック７２は、蓋体５の周縁壁５１を孔あき内容器４に係止するようにフランジ４３に対して回転される。その後、図３３および図３４に示されているように、孔あき内容器４と蓋体５との組み合わせが外容器２に対して回転され、これにより延伸ブロック７２が嵌合溝２４６０に嵌合して係止されるように移動される。
【００４１】
図３５および図３６には、本発明の洗浄容器組立品に係る第６の好ましい実施形態が示されている。本実施形態においては、蓋体５の周縁壁５１に形成されている第２の取付部品は、可撓性材料からなっており、外容器２のフランジ２４を囲むように周縁壁５１から延伸してフック型の断面を有する構成になっている。なお、本実施形態においては孔あき内容器４のフランジ４３が省かれている。
【００４２】
蓋体５の陥凹壁５２には、蓋体５の周方向に沿って延伸しており且つ角方向に互いに間隔をおいて相対する第１の端５２１０と第２の端５２１１とを有する弓形のガイドスロット５２１が形成されている。
【００４３】
孔あき内容器４は、くぼみ４１２と利用可能な操作部４８とを有している。くぼみ４１２は、第２の空間４２に向かって突き出るように主要部４１の底部中央に形成されている。利用可能な操作部４８は、孔あき内容器４の主要部４１からガイドスロット５２１を突き抜けるように延伸しており、孔あき内容器４を回転駆動できるようにガイドスロット５２１の第１の端部５２１０と第２の端部５２１１との間で移動可能になっている。
【００４４】
外容器２の主要部２１は、突起２８が形成されている底部を有しており、外容器２の該底部における突起２８以外の部分と孔あき内容器４との間に間隔ができるように、突起２８は孔あき内容器４のくぼみ４１２に向かって延伸しかつこれに当接していると共にその長さがくぼみ４１２の深さよりも長い。孔あき内容器４の操作部４８がガイドスロット５２１の第１の端５２１０と第２の端５２１１との間で移動される際、物品９の洗浄を促す水流を起こすよう孔あき内容器４が外容器２に対して回転される。
【００４５】
なお、図３７および図３８に示されているように、第６の好ましい実施形態の変化例として、第２の取付部品は、外容器２と分離されて、蓋体５を外容器２に連結する可撓性輪状体６として構成することもできる。
【００４６】
総括として、本発明の効果のうちの幾つかを以下に挙げる。蓋体５の陥凹壁５２により、洗われる物品９は第２の空間４２内に保持され、第２の空間４２内の水に完全に漬かる。また、バルブ３と陥凹壁５２に形成された通孔５２１の構成により、外容器２内の水を再び他の物品を洗うのに利用することができ、環境にやさしい。
【図１】
0005734347.tif 000002
【図２】
0005734347.tif 000003
【図３】
0005734347.tif 000004
【図４】
0005734347.tif 000005
【図５】
0005734347.tif 000006
【図６】
0005734347.tif 000007
【図７Ａ】
0005734347.tif 000008
【図７Ｂ】
0005734347.tif 000009
【図８】
0005734347.tif 000010
【図９Ａ】
0005734347.tif 000011
【図９Ｂ】
0005734347.tif 000012
【図１０】
0005734347.tif 000013
【図１１】
0005734347.tif 000014
【図１２】
0005734347.tif 000015
【図１３】
0005734347.tif 000016
【図１４】
0005734347.tif 000017
【図１５】
0005734347.tif 000018
【図１６】
0005734347.tif 000019
【図１７】
0005734347.tif 000020
【図１８】
0005734347.tif 000021
【図１９】
0005734347.tif 000022
【図２０】
0005734347.tif 000023
【図２１】
0005734347.tif 000024
【図２２】
0005734347.tif 000025
【図２３】
0005734347.tif 000026
【図２４】
0005734347.tif 000027
【図２５】
0005734347.tif 000028
【図２６】
0005734347.tif 000029
【図２７】
0005734347.tif 000030
【図２８】
0005734347.tif 000031
【図２９】
0005734347.tif 000032
【図３０】
0005734347.tif 000033
【図３１】
0005734347.tif 000034
【図３２】
0005734347.tif 000035
【図３３】
0005734347.tif 000036
【図３４】
0005734347.tif 000037
【図３５】
0005734347.tif 000038
【図３６】
0005734347.tif 000039
【図３７】
0005734347.tif 000040
【図３８】
0005734347.tif 000041